(57)【要約】【課題】鏡の角度、高さを自在に変えられると共に、様々な形状の部材に簡易に着脱が可能である支持自在ミラーを提供する。【解決手段】支持自在ミラー１は、金属製の芯材１５と芯材１５を被覆する軟質合成樹脂材１１とからなる塑性変形可能なコード状の支持体１０と、支持体１０の一端部１２を内部に封入する鏡取付体２０と、鏡取付体２０の前面に装着される鏡５０と、を備える。軟質合成樹脂材１１は熱可塑性エラストマーからなることが好ましい。鏡取付体２０は、硬質合成樹脂からなることが好ましく、ＡＢＳ樹脂からなることが更に好ましい。芯材１５はアルミニウム製であることが好ましい。一端部１２がその先端に側方へ突出する突出部１２ａを備えることが好ましい。鏡取付体２０は、意匠性を有する形態を備えることが好ましい。【選択図】図１
0003152746.tif 000002
【実用新案登録請求の範囲】
【請求項１】
金属製の芯材と該芯材を被覆する軟質合成樹脂材とからなる塑性変形可能なコード状の支持体と、
前記支持体の一端部を内部に封入する鏡取付体と、
前記鏡取付体の前面部に装着される鏡と、
を備えることを特徴とする支持自在ミラー。
【請求項２】
前記軟質合成樹脂材は熱可塑性エラストマーからなる請求項１に記載の支持自在ミラー。
【請求項３】
前記鏡取付体は、硬質合成樹脂からなる請求項１又は２に記載の支持自在ミラー。
【請求項４】
前記硬質合成樹脂はＡＢＳ樹脂である請求項３に記載の支持自在ミラー。
【請求項５】
前記芯材がアルミニウム製である請求項１乃至４のいずれか１項に記載の支持自在ミラー。
【請求項６】
前記一端部がその先端に側方へ突出する突出部を備える請求項１乃至５のいずれか１項に記載の支持自在ミラー。
【請求項７】
前記鏡取付体が意匠性を有する形態を備える請求項１乃至６のいずれか１項に記載の支持自在ミラー。
【請求項８】
前記形態が蝶又は花の形態である請求項７に記載の支持自在ミラー。
【請求項９】
支持体形成用金型に金属製の芯材を装填し、該支持体形成用金型に射出成形にて樹脂を充填して支持体を形成する第１工程と、
鏡取付体形成用金型に前記支持体の一端部を装填し、該取付体形成用金型に射出成形にて樹脂を充填して鏡取付体を形成する第２工程と、
前記鏡取付体に鏡を装着する第３工程と、
を備えることにより製造する請求項１乃至８のいずれか１項に記載の支持自在ミラー。
【考案の詳細な説明】
【技術分野】
【０００１】
本考案は、支持自在ミラーに関し、ミラーの支持体を変形自在とし、鏡の高さ及び角度を調整できると共に、様々な形状の部材に簡易に着脱が可能である支持自在ミラーに関する。
【背景技術】
【０００２】
鏡は、一般に平板状であるため、単独では安定せず、支持体に取り付けることにより、利便性が向上する。支持体に取り付ければ、鏡を立設した状態に安定して固定することができ、使用目的、場所等に応じて支持体を取り付けることにより、被写体を鏡面の見たい位置に写し出すことができる。
しかし、使用者の姿勢と、鏡の位置が合わずに、鏡面に被写体を適切に写し出さない場合は、使用者の姿勢を変えるか、鏡の位置を変える必要がある。
【０００３】
ここで、鏡の支持体の一部を蝶番状に連結した卓上鏡が提案されている（例えば、特許文献１参照。）。この卓上鏡は、その支持体の２箇所を蝶番状に連結した構造であるため、鏡の使用者の顔面と鏡面をほぼ同じ高さで平行に位置させて、正面から鏡に顔面を写し出すことができる。
また、鏡の支持体の一部に球体とその球体を囲繞挟持する囲繞挟持部材を備える回動自在型のミラーが提案されている（例えば、特許文献２参照。）。このミラーは、全方向的な回動域を有するため、広範囲に鏡面を自在に回動することができる。
【先行技術文献】
【特許文献】
【０００４】
【特許文献１】特開２００８−２２０９０６号公報
【特許文献２】実登３０６５７６７号公報
【考案の概要】
【考案が解決しようとする課題】
【０００５】
しかし、特許文献１の卓上鏡は、板状部材を縦方向に接続した構成であるため、横方向に回動することができず、鏡を横方向に回動させるには、支持体全体を回動させる必要がある。また、特許文献２のミラーは、全方向的な回動域を有するが、高さを調整することができない。したがって、使用者の顔面の高さが、鏡面より高い位置にあるときは、使用者の顔面と鏡面を平行に位置させるためには、支持体の下部に、更に支持台を備える必要がある。
更に、特許文献１の卓上鏡及び、特許文献２のミラーのいずれもその支持体の底面が、平板状であり、卓上に設置できるが、棒状の部材等に取り付けることはできない。
【０００６】
本発明は、前記の問題を解決するものであり、ミラーの支持体を変形自在とし、鏡の高さ及び角度を調整できると共に、様々な形状の部材に簡易に着脱が可能である支持自在ミラーを提供することを解決すべき課題としている。
【課題を解決するための手段】
【０００７】
本考案は、以下の通りである。
１．金属製の芯材と該芯材を被覆する軟質合成樹脂材とからなる塑性変形可能なコード状の支持体と、
前記支持体の一端部を内部に封入する鏡取付体と、
前記鏡取付体の前面に装着される鏡と、
を備えることを特徴とする支持自在ミラー。
２．前記軟質合成樹脂材は熱可塑性エラストマーからなる１．に記載の支持自在ミラー。
３．前記鏡取付体は、硬質合成樹脂からなる１．又は２．に記載の支持自在ミラー。
４．前記硬質合成樹脂はＡＢＳ樹脂である３．に記載の支持自在ミラー。
５．前記芯材がアルミニウム製である１．乃至４．のいずれかに記載の支持自在ミラー。
６．前記一端部がその先端に側方へ突出する突出部を備える１．乃至５．のいずれかに記載の支持自在ミラー。
７．前記鏡取付体が意匠性を有する形態を備える１．乃至６．のいずれかに記載の支持自在ミラー。
８．前記形態が蝶又は花の形態である７．に記載の支持自在ミラー。
９．支持体形成用金型に金属製の芯材を装填し、該支持体形成用金型に射出成形にて樹脂を充填して支持体を形成する第１工程と、鏡取付体形成用金型に前記支持体の一端部を装填し、該取付体形成用金型に射出成形にて樹脂を充填して鏡取付体を形成する第２工程と、前記鏡取付体に鏡を装着する第３工程と、を備えることにより製造する１．乃至８．のいずれかに記載の支持自在ミラー。
【考案の効果】
【０００８】
本考案の支持自在ミラーは、金属製の芯材と該芯材を被覆する軟質合成樹脂材とからなる塑性変形可能なコード状の支持体を備えているため、ミラーの支持体を変形自在とし、鏡の高さ及び角度を調整できると共に、様々な形状の部材に簡易に着脱が可能である。
また、軟質合成樹脂材が熱可塑性エラストマーからなる場合には、鏡の角度、高さをより自在に変えられると共に、より様々な形状の部材に対する着脱を容易にすることができる。
【０００９】
更に、鏡取付体が、硬質合成樹脂からなる場合には、鏡をより安定的に取り付けることができる。
また、硬質合成樹脂がＡＢＳ樹脂である場合には、より高級感に優れることができる。  更に、芯材がアルミニウム製である場合には、より柔軟性があり、軽量であるため、より支持体を変形自在なものとすることができる。
【００１０】
また、一端部がその先端に側方へ突出する突出部を備えている場合には、鏡取付体を支持体に安定させることができると共に、鏡取付体から支持体が抜けるのを防ぐことができる。
更に、鏡取付体が意匠性を有する形態を備える場合には、デザイン的な高級感を醸し出すことができる。
また、形態が蝶又は花の形態である場合には、より高級感に優れることができる。
【００１１】
更に、支持自在ミラーの製造方法が、支持体形成用金型に金属製の芯材を装填し、該支持体形成用金型に射出成形にて樹脂を充填して支持体を形成する第１工程と、鏡取付体形成用金型に前記支持体の一端部を装填し、該取付体形成用金型に射出成形にて樹脂を充填して鏡取付体を形成する第２工程と、前記鏡取付体に鏡を装着する第３工程と、を備える場合には、効率的に支持自在ミラーを製造することができる。
【図面の簡単な説明】
【００１２】
【図１】本考案の実施形態に係る支持自在ミラーの斜視図である。
【図２】図１の支持自在ミラーの鏡取付体部分の底面図である。
【図３】図２のＢ−Ｂ´断面図である。
【図４】図１のＡ−Ａ´断面図である。
【図５】図１の支持自在ミラーの鏡取付体部分の背面図である。
【図６】本考案の他の実施形態に係る支持自在ミラーの鏡取付体部分の背面図である。
【図７】本考案の実施形態に係る支持自在ミラーの使用例の説明図である。
【図８】本考案の実施形態に係る支持自在ミラーの使用例の説明図である。
【図９】本考案の実施形態に係る支持自在ミラーの使用例の説明図である。
【考案を実施するための形態】
【００１３】
以下本考案を図１〜９を参照しながら詳細に説明する。なお、本考案は、かかる図に記載された具体例に示すものに限られず、目的、用途に応じて種々変更したものとすることができる。
本考案を具現化した支持自在ミラー１は、例えば図１に示すように、金属製の芯材１５と芯材１５を被覆する軟質合成樹脂材１１とからなる塑性変形可能なコード状の支持体１０と、支持体１０の一端部１０ａを内部に封入する鏡取付体２０と、鏡取付体２０の前面に装着される鏡５０と、を備える。
【００１４】
前記支持体は、金属製の芯材と芯材を被覆する軟質合成樹脂材とからなるコード状の塑性変形可能な部材である。金属製の芯材を被覆することにより、支持体全体として塑性変形が可能となり、安定した形態を保持することができる。「コード状」とは、横断面が円や楕円状の電線状や、横断面が長方形となる帯状のものをいう。
【００１５】
前記「塑性変形」とは、変形を引き起こしている荷重を取り除いた後、元に戻らずに残っている変形のことをいい、「塑性変形可能」とは、手指の力により容易に変形することができると共に、変形させた形態を安定して保持することができることをいう。即ち、支持体を使用目的、使用場所等に応じて自在に変形させて着脱が可能であり、変形後の形状で安定して使用することができる。
【００１６】
前記「芯材」は、金属製であれば特に限定はなく、鉄製、銅製、アルミニウム製等を問わないが、アルミニウム製であることが好ましい。アルミニウム製であれば、柔軟性があり、又軽量であるため、支持体の芯材として用いたとき手指で変形させやすく、鏡の角度、高さ等を容易に調整することが可能である。又、様々な形状の部材に対する着脱を容易に行うことができる。
【００１７】
前記「軟質合成樹脂材」は、前記金属製の芯材を被覆する軟質の合成樹脂材であれば特にその種類に限定はないが、熱可塑性エラストマーであることが好ましい。熱可塑性エラストマーであれば、射出成形により容易に成形品とすることができ、また機械的強度にも優れるという利点がある。
【００１８】
前記「鏡取付体」は、支持体の一端部を内部に封入する部材である。支持体の前面には鏡が装着される。
前記「一端部」とは、支持体のうち鏡取付体の内部に存在している部分をいう。例えば図１又は図３に示すように、鏡取付体２０の内部に存在する一端部１２をいう。
前記「封入」とは、支持体を封じ込めていることをいい、例えば、鏡取付体に挿入孔を設けて、支持体の一端部を挿入して取り付けることができる。その取付状態は、着脱自在に挿通可能としてもよいが、抜けないように固着されていることが好ましい。固着方法は特に限定はなく、圧入、接着等の方法によるほか、支持体を、鏡取付体を形成する樹脂で充填して固定することもできる。
【００１９】
支持体は、全長に亘って同一の断面形状であってもよいが、図１に示す支持体１０のように、一端部１２の先端に側方へ突出する突出部１２ａを備えることができる。突出部１２ａを備えることにより、鏡取付体２０を支持体１０に安定させることができると共に、
一端部１２を封入している鏡取付体２０から支持体１０が抜けるのをより効果的に防ぐことができる。
【００２０】
鏡取付体の材質は、特に限定はなく、ガラス製、金属製、木製、合成樹脂製等種々の材質とすることができる。これらのうち、合成樹脂製とすることが好ましい。合成樹脂製であれば、射出成形等により容易に成形が可能であり、後述の意匠性を有する形態を一体成形するにも適している。
【００２１】
鏡取付体の材質は、硬質合成樹脂からなることが更に好ましい。硬質合成樹脂からなることにより、鏡をよりしっかりと固定でき、鏡取付体から脱落することを防ぐことができる。また、鏡取付体の材質は、ＡＢＳ樹脂であることが特に好ましい。「ＡＢＳ樹脂」とはアクリロニトリル（Ａｃｒｙｌｏｎｉｔｒｉｌｅ）、ブタジエン（Ｂｕｔａｄｉｅｎｅ）、スチレン（Ｓｔｙｒｅｎｅ）共重合合成樹脂である。ＡＢＳ樹脂であれば、外観上つやを出すことが容易で、より高級感を醸し出すことができる。
【００２２】
鏡取付体の形状は、支持体の一端部を内部に封入し、且つ、その前面に鏡を装着することが可能であれば、特に限定はない。鏡を取り付ける部位は、平面的であってもよいが、鏡が板状であれば、鏡を嵌め込む凹部を有していていることが好ましい。こうであれば、鏡をしっかりと固定することができ、使用に際しては、安全性に優れることができる。
例えば図１に示す鏡支持体２０は、板状の鏡５０を嵌め込むための、枠部２０ｃで囲まれた図示しない凹部を備えている。さらに、鏡５０を取り付けたときに、鏡５０の鏡面と枠部２０ｃの表面は面一に形成されるため、使用に際して鏡５０の端部で怪我をしたり、引っ掛けることもなく、安全性に優れている。
【００２３】
鏡取付体は意匠性を有する形態を備えることが好ましい。意匠性を有することにより、美観に優れ、そのデザインを楽しむことができる。また、機能的に役立つものとすることもできる。例えば、図１に示す支持自在ミラー１は、その背面が図５に示すように、羽根を広げた蝶をデザイン化して表現され、躍動感にあふれ、また可愛らしい印象を与えることができる。さらに、図１に示すように、正面方向から見ると、広げた蝶の羽根部２０ａ、２０ｂが鏡の取付体から突出しているため、手指で持ちやすく、羽根部２０ａ、２０ｂを持つことにより、鏡の角度を容易に変えることができる。
【００２４】
支持自在ミラー２は、図６に示すように、その背面が花をデザイン化して表現され、華やかな印象を与えることができる。さらに、立体感に溢れているため一層豪華で看る者を楽しませてくれる。又、背面部の花びらの立体的構造により強度的にも安定し、鏡をしっかりと保持することができる。
【００２５】
前記「鏡」とは、滑らかな平面における光の反射を利用して容姿や物の像を写し見る具をいう。鏡の形状は特に限定はなく、立体形状であると平面形状であるかは問わないが、通常平面形状である。平面形状のうち、正面から見た形状も特に限定はなく、図１に示す鏡５０のように楕円形状とすることができるが、真円形状、角形形状、あるいはこれらの組み合わせであってもよい。また、鏡の種類は、平面鏡に限らず凸面鏡、凹面鏡等の球面鏡であってもよい。
【００２６】
鏡の材質も特に限定はなく、ガラス製、金属製、合成樹脂製、あるいはそれらにメッキしたものを使用することができる。
鏡取付体への鏡の装着については、鏡がしっかりと固定でき、脱落しない構造であれば特に限定はなく、接着、圧入による挿着、ねじ止め等の構造をとることができる。図１に示す鏡５０は鏡取付体２０に設けた図示しない凹部に、嵌め込まれ、接着固定されている。
なお、必ずしも接着等により取り外しできない構造とする必要はなく、着脱自在に装着されていてもよい。
【００２７】
（製造方法）
本考案の支持体自在ミラーを製造する方法は、特に限定されないが、次の方法で製造することが好ましい。
支持体形成用金型に金属製の芯材を装填し、該支持体形成用金型に射出成形にて樹脂を充填して支持体を形成する第１工程と、鏡取付体形成用金型に支持体の一端部を装填し、
該金型に射出成形にて樹脂を充填して鏡取付体を形成する第２工程と、鏡取付体に鏡を装着する第３工程とを備えることにより製造することができる。
【００２８】
前記「第１工程」は、支持体形成用金型に金属製の芯材を装填し、該支持体形成用金型に射出成形にて樹脂を充填して支持体を形成する工程である。このように金属製の芯材をインサートとして予め装填しておいて、射出成形にて樹脂を充填することによって支持体を形成すれば、芯材を金型内で樹脂と一体化することができ、効率的に支持体を形成することができる。
【００２９】
前記「第２工程」は、鏡取付体形成用金型に支持体の一端部を装填し、該金型に射出成形にて樹脂を充填して鏡取付体を形成する工程である。このように支持体をインサートとして予め装填しておいて、射出成形にて樹脂を充填することによって鏡取付体を形成すれば、支持体を金型内で樹脂と一体化することができ、効率的に、鏡取付体に支持体を封入した状態で形成することができる。
【００３０】
前記「第３工程」は、鏡取付体に鏡を装着する工程である。装着方法は特に限定はなく、接着、圧入による挿着、ねじ止め等あるいはこれらを併用することにより、固定する方法を採用することができる。
なお、必ずしも接着等により取り外しできない構造とする必要はなく、着脱自在に装着されていてもよい。
【００３１】
（使用方法）
支持自在ミラーは、図１に示すように卓上に備えて使用した場合、支持体を自在に変形させて思い通りの角度、高さに調節することができる。
更に、様々な場所で、鏡の必要な箇所に簡単に取り付けることができ、その使用方法のバリエーションは広範囲に亘ることができる。
例えば図７に示すように、支持自在ミラー１の支持体１０を、自転車のハンドル８０に巻きつけ、バックミラーとして使用することができる。その際、羽根部２０ａ、２０ｂを手指で挟持して鏡の角度を容易に調整することができる。
【００３２】
また、図８に示すように、支持自在ミラー１の支持体１０を、自動車のルームミラー９０の支持部材９５に巻き付けることによって、ルームミラー９０では見ることのできない後部座席の様子を写し出すことができる。こうすることで、例えば、後部座席の幼児の様子を時々見ながら安全に運転することができる。
【００３３】
更に、図９に示すように、支持自在ミラー１の支持体１０を手首に巻き付けることにより、片方の手で手鏡を持つことなく、両手の指を使用しながら鏡を見ることができる。特に、化粧をしたり、コンタクトレンズを装着する場合などに大変便利である。
上記の使用例は、支持自在ミラー１のみでなく、支持自在ミラー２においても略同様であることはいうまでもない。
【産業上の利用可能性】
【００３４】
本考案の支持自在ミラーは、支持体に特徴のあるミラーの産業において広く利用される。特に、鏡のない所に容易に取り付け可能とするミラーの技術分野において好適に利用される。
【符号の説明】
【００３５】
１；２；支持自在ミラー、１０；支持体、１１；合成樹脂材、１２；一端部、１２ａ；突出部、１５；芯材、２０；３０；鏡取付体、５０；鏡
【図１】
0003152746.tif 000003
【図２】
0003152746.tif 000004
【図３】
0003152746.tif 000005
【図４】
0003152746.tif 000006
【図５】
0003152746.tif 000007
【図６】
0003152746.tif 000008
【図７】
0003152746.tif 000009
【図８】
0003152746.tif 000010
【図９】
0003152746.tif 000011